(57)【要約】【課題】防臭性を保ちつつ、秘匿性も兼ね備えた防臭袋を提供することである。【解決手段】少なくともポリエステル樹脂層を含んで構成される防臭袋１０であって、袋内部の少なくとも一部を秘匿するように少なくとも一色以上の色が設けられた表面部を有することを特徴とする。また、防臭袋１０において、表面部は、袋開口部の方向を示すように色が設けられていることが好ましい。さらに、防臭袋１０において、ポリエステル樹脂層とは異なる樹脂層をさらに含んで構成されていることが好ましい。【選択図】図１
2019018861.tif 000002
【特許請求の範囲】
【請求項１】
少なくともポリエステル樹脂層を含んで構成される防臭袋であって、
袋内部の少なくとも一部を秘匿するように少なくとも一色以上の色が設けられた表面部を有することを特徴とする防臭袋。
【請求項２】
請求項１に記載の防臭袋において、
前記表面部は、袋開口部の方向を示すように色が設けられていることを特徴とする防臭袋。
【請求項３】
請求項１または請求項２に記載の防臭袋において、
前記ポリエステル樹脂層とは異なる樹脂層をさらに含んで構成されていることを特徴とする防臭袋。
【請求項４】
請求項１から請求項３のいずれか１項に記載の防臭袋において、
紙部材をさらに含んで構成されることを特徴とする防臭袋。
【発明の詳細な説明】
【技術分野】
【０００１】
本発明は、防臭袋に関する。
【背景技術】
【０００２】
従来、ポリエチレンフィルムで構成される袋で物体を包んだ場合に防臭性が十分ではないため、物体が強臭性を有する場合にフィルムを通過して臭いが漏れてしまうことがある。これに対し、ポリエステルフィルムで構成される袋は防臭性が高く、臭気がフィルムを通過しにくい。
【０００３】
本発明に関連する技術として、例えば、特許文献１には、ポリエステル樹脂層（Ａ）の少なくとも片面に、２種類以上の結晶性ポリエステル、及び１種類以上の非晶性ポリエステルからなるポリエステル樹脂層（Ｂ）が積層されてなることを特徴とするひねり性の優れた延伸ポリエステルフィルムが開示されている。
【先行技術文献】
【特許文献】
【０００４】
【特許文献１】特開２００４−１８１６５３号公報
【発明の概要】
【発明が解決しようとする課題】
【０００５】
透明性を有するポリエステルフィルムを用いた防臭袋を用いることで、例えば、キムチや漬物、餃子、肉まん、魚など強臭性を有する物を入れることで臭いの漏れを防ぎつつ、内容物が分かりやすい状態で保管することができる。しかしながら、例えば、乳児の紙おむつなどを捨てる場合には、プライバシーの観点から秘匿性を確保することが望まれる。
【０００６】
本発明の目的は、防臭性を保ちつつ、秘匿性も兼ね備えた防臭袋を提供することである。
【課題を解決するための手段】
【０００７】
本発明に係る防臭袋は、少なくともポリエステル樹脂層を含んで構成される防臭袋であって、袋内部の少なくとも一部を秘匿するように少なくとも一色以上の色が設けられた表面部を有することを特徴とする。
【０００８】
また、本発明に係る防臭袋において、前記表面部は、袋開口部の方向を示すように色が設けられていることが好ましい。
【０００９】
また、本発明に係る防臭袋において、前記ポリエステル樹脂層とは異なる樹脂層をさらに含んで構成されていることが好ましい。
【００１０】
また、本発明に係る防臭袋において、紙部材をさらに含んで構成されることが好ましい。
【発明の効果】
【００１１】
本発明によれば、ポリエステル樹脂フィルムで構成された防臭袋の表面が一色以上に設けられているため、防臭性を保ちつつ、秘匿性も兼ね備えることができる。
【図面の簡単な説明】
【００１２】
【図１】本発明に係る実施形態の防臭袋を示す図である。
【発明を実施するための形態】
【００１３】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１４】
図１は、防臭袋１０を示す図である。防臭袋１０は、ポリエステル樹脂層を含んで構成される。ポリエステル樹脂層は、エチレンテレフタレートユニットを主要な構成成分とすることが好ましい。
【００１５】
ここで、主要な構成成分とは、ポリエステルの全構成ユニットを１００モル％とした場合に、エチレンテレフタレートユニットを５０モル％超含むことを意味する。エチレンテレフタレートユニットは、より好ましくは５５モル％以上であり、６０モル％以上であることが好適である。
【００１６】
また、ユニットとは、１つの多価アルコール分子および１つの多価カルボン酸分子から誘導されるポリマーを構成する繰り返し単位のことであり、また、ε−カプロラクトンの場合は、ラクトン環の開環で得られる構成単位を示している。
【００１７】
ポリエステル樹脂層は、エチレングリコール以外の多価アルコール由来のユニットが含まれていることが好ましい。また、ポリエステル樹脂層は、テレフタル酸以外の多価カルボン酸由来のユニットが含まれていることが好適である。
【００１８】
エチレングリコール以外の多価アルコールとしては、例えば、プロピレングリコール、ジエチレングリコール、トリエチレングリコール、１，４−ブタンジオール、１，６−ヘキサンジオール、３−メチル−１，５−ペンタンジオール、ネオペンチルグリコール、１，４−シクロヘキサンジメタノールなどが挙げられる。
【００１９】
テレフタル酸以外の多価カルボン酸としては、例えば、イソフタル酸、ナフタレン−１，４−もしくは−２，６−ジカルボン酸、５−ナトリウムスルホイソフタル酸、４，４’−ジフェニルジカルボン酸などが挙げられる。
【００２０】
ポリエステル樹脂層は、ポリエステルの構成ユニット中に非晶ユニットが含まれることが好ましい。これにより、ひねり保持性を高めることができる。また、ポリエステル樹脂層には、エチレンテレフタレートユニットと非晶ユニットとを含むポリエステル樹脂が含有されているのが好適である。
【００２１】
エチレングリコール以外の多価アルコール由来のユニットとテレフタル酸以外の多価カルボン酸由来のユニットは非晶質成分となり得る。多価アルコールとして、ジエチレングリコール、ネオペンチルグリコール、１，４−シクロヘキサンジメタノールが用いられることが好ましく、多価カルボン酸としてイソフタル酸が用いられることが好ましい。
【００２２】
ポリエステル樹脂層には、必要に応じて各種の添加剤、例えば、ワックス類、酸化防止剤、帯電防止剤、結晶核剤、減粘剤、熱安定剤、着色用顔料、着色防止剤、紫外線吸収剤等を添加することができる。
【００２３】
ポリエステル樹脂層は、透明タイプのフィルムであり、ヘイズが０．５％以上１５％以下であることが好ましい。ヘイズが１５％を超えると、透明性が低下するため、透明性が求められる用途での使用が制限されることがある。
【００２４】
防臭袋１０は、上記のようにポリエステル樹脂層を含んで構成されるが、袋の表面部には、印刷が施される。表面部には、第１の色（例えば、白色）で着色された第１領域１６と、第２の色（例えば、ピンク色）で着色された第２領域１４が形成されている。第１の色と第２の色は、袋内部に収納されている物体を秘匿させるような色相、明度、彩度に設定されている。
【００２５】
また、図１に示されるように、第１の色も第２の色も着色されない透明領域１８（帯状の領域）が設けられている。第１の色及び第２の色を含めた印刷は、様々な手法を用いることが可能であり、例えば、インクジェット印刷などを用いることができる。
【００２６】
第１領域１６は、透明領域１８以外の部分を占有するように着色されている。第２領域１４は、ここでは、うさぎをイメージした複数の図形が所定の間隔をおいて配置されている。また、表面部の中央よりやや下部に「ありがとう」の文字が記載されている。うさぎをモチーフにした図形における耳の向きや「ありがとう」の文字の向きにより袋開口部１２を指し示すことができる。
【００２７】
続いて、上記構成の防臭袋１０の作用について説明する。防臭袋１０は、ポリエステル樹脂層を含むフィルムで構成されているため、防臭性が高く、臭気がフィルムを通過しにくい。これにより、強臭性の高い物体、例えば、使用済みの汚れた紙おむつ等を収納した場合に臭いが拡散しまうことを防ぐことができる。
【００２８】
また、防臭袋１０によれば、第２領域１４に示されたうさぎの図形の耳の方向や「ありがとう」の文字の向きにより、袋開口部１２を一見して把握することができる。袋開口部１２から紙おむつを入れて上部を捻ることで袋開口部１２を塞ぐ。これにより、使用済みの紙おむつの臭いの拡散を防ぐことができる。
【００２９】
さらに、防臭袋１０によれば、第１領域１６及び第２領域１４には袋内部に収納された使用済みの紙おむつが見えないように秘匿性が確保されている。これにより、プライバシーを守ることができる。なお、防臭袋１０の透明領域１８は、袋内部を確認するために用いてもよいが、より秘匿性を確保するために第１領域１６と第２領域１４のみで構成されるようにしてもよい。
【００３０】
このように、防臭袋１０を用いることで、防臭性を保ちつつ、秘匿性も兼ね備えることができるという顕著な効果を奏する。また、防臭袋１０の袋開口部１２の方向も一見して把握することができるという利点もある。
【００３１】
なお、上記防臭袋１０は、ポリエステル樹脂層を含むフィルムで構成されるものとして説明したが、その他の層を積層して構成することができる。その他の層は、樹脂組成物からなる層であってもよいし、樹脂組成物以外の素材、例えば、金箔や紙でからなる層であってもよい。
【００３２】
その他の層に含有される樹脂として、樹脂としては、例えば、ナイロン樹脂、ポリプロピレン樹脂、ポリエチレン系樹脂、ポリスチレン系樹脂などが挙げられるが、ナイロン樹脂、ポリプロピレン樹脂が好ましい。その他の層に含有される樹脂は、一種のみを用いてもよいし、適宜、二種以上を混合して用いてもよい。
【符号の説明】
【００３３】
１０  防臭袋、１２  袋開口部、１４  第２の領域、１６  領域、１８  透明領域。
【図１】
2019018861.tif 000003